(57)【特許請求の範囲】
【請求項１】
炊飯器本体と、前記炊飯器本体の上方に位置する蓋体とを有する圧力式炊飯器であって、
前記炊飯器本体は、内鍋と、前記内鍋を加熱する加熱手段とを有し、
前記蓋体は、圧力調整装置を有し、
前記蓋体は、前記蓋体内で前後方向に延伸し、途中で分割されている補強部材を有し、
前記補強部材は、前方側に位置する第１補強部材と、後方側に位置する第２補強部材とを有し、
前記第１補強部材と前記第２補強部材とは一部において上下方向に重なり且つ係止することを特徴とする圧力式炊飯器。  
【請求項２】
炊飯器本体と、前記炊飯器本体の上方に位置する蓋体とを有する圧力式炊飯器であって、
前記炊飯器本体は、内鍋と、前記内鍋を加熱する加熱手段とを有し、
前記蓋体は、圧力調整装置を有し、
前記蓋体は、前記蓋体内で前後方向に延伸し、途中で分割されている補強部材を有し、
前記補強部材は、前方側に位置する第１補強部材と、後方側に位置する第２補強部材とを有し、
前記第１補強部材の後端部はヒンジ軸直上近傍まで伸びて前記第２補強部材の係止リブに係止することを特徴とする圧力式炊飯器。
【発明の詳細な説明】
【技術分野】
【０００１】
本発明は、特に蓋体に補強部材を有する圧力式炊飯器に関するものである。
【背景技術】
【０００２】
一般に炊飯器は、ワークコイル、保温ヒータ及び蓋ヒータ等の複数個の加熱手段を有し、これら加熱手段を駆使して自動的に炊飯及び保温を行いユーザーに最適なご飯等を提供する器具として広く知られている。
【０００３】
ところで、炊飯の各工程時に内鍋内を加圧状態にして炊飯を行うと、米内への熱伝導と吸水速度が早まり、その結果十分な吸水が行われ、炊きムラのないより美味しいご飯を短時間で炊き上げることができるようになる。そのような要望に応える圧力式炊飯器も既に知られている。
【０００４】
圧力式炊飯器の一例を図６に示す。圧力式炊飯器１の形状は、基本的には通常の炊飯器と同じである。即ち、圧力式炊飯器１は、炊飯器本体２、及び炊飯器本体２の上方開口を開閉する蓋体３等からなる。炊飯器本体２は、外ケース４及び内ケース５を有し、この内ケース５内には、調理物を入れて調理する内鍋６が着脱自在にセットされる。
【０００５】
また、内ケース５の底面及び底面から側面にかけての湾曲部には図示しないワークコイル等の加熱手段が設けられており、内鍋６内の調理物を加熱調理する。
【０００６】
前記蓋体３には、内鍋６内の圧力を調圧するための調圧弁８及び安全弁９が設けられる。調圧弁８は、内鍋６内の圧力を所定の圧力にするためのもので、内鍋６内の圧力が所定の圧力以上になると開放される。また、安全弁９は、例えば調圧弁８が故障する等により内鍋６内の圧力が前記所定の圧力より高い異常圧力になると開放されるもので圧力式炊飯器の安全性を担保している。
【０００７】
この蓋体３には、内鍋６内の圧力がかかるため通常の炊飯器の蓋体に比べて強度が高められ、補強部材１０が設けられている。この補強部材１０は板状のもので圧力式炊飯器１の前後方向、即ち蓋開閉部材とヒンジ部を結ぶ方向に設けられており、蓋体３の強度を高めている（例えば、特許文献１参照）。
【０００８】
このように、上記従来の圧力式炊飯器の補強部材１０は、蓋体３の前後方向にその全体を蓋体３に固定する形態で取り付けられており、蓋体３の強度を高めて蓋体３の信頼性を高めている。そして、通常時には、調圧弁８で内鍋６内の調圧が行われ、内鍋６内での適正な圧力炊飯を可能にし、仮に調圧弁８が正常に機能しない状態が生じると安全弁９が機能して安全性を担保している。
【０００９】
ところで、仮に調圧弁８及び安全弁９が共に正常に機能しない状態が生じると、蓋体３は補強部材１０で補強されているため、内鍋６内で昇圧された圧力は蓋体３の下方から蓋体３を上方に押し上げるように作用し、その結果、蓋体３の前方側にある蓋開閉部材の係合が外れるか、或いは蓋体３又は炊飯器本体２のいずれかの箇所が変形することになる。
【００１０】
炊飯中に炊飯器の前方側にユーザーがいる可能性は高く、仮に蓋体３の前方側にある蓋開閉部材の係合が外れると、内部から噴出する高圧の蒸気がユーザーにかかったり、或いは急激に開放する蓋体３がユーザーに当たったりして危害を及ぼす弊害が生じる。
【００１１】
また、仮に蓋体３又は炊飯器本体２が変形して内部の蒸気が噴出したとしても、その変形箇所が前方側であるとやはり内部から噴出する高圧の蒸気がユーザーにかかったりして危害を及ぼすことになる。
【００１２】
更に、蓋体３のみの変形であれば蓋体３を交換して再度使用することもできるが、炊飯器本体２が変形するとその交換はコストが嵩み、結局は炊飯器を買い換えることになりユーザーにより多くの負担を強いることになる。
【先行技術文献】
【特許文献】
【００１３】
【特許文献１】特許第２８６９３８８号公報（図１参照）
【発明の概要】
【発明が解決しようとする課題】
【００１４】
本発明の目的は、法令で定められた蓋体の強度は維持しつつ、異常時には蓋体が変形する時間を早くし、また、その変形箇所を炊飯器の後方側にすることによりユーザーへの危害、並びに炊飯器本体のダメージを最低限に抑える炊飯器を提供することである。
【課題を解決するための手段】
【００１５】
前記目的を達成するため、本発明は以下の構成を採用する。
【００１６】
請求項１に係る発明では、炊飯器本体と、前記炊飯器本体の上方に位置する蓋体とを有する圧力式炊飯器であって、前記炊飯器本体は、内鍋と、前記内鍋を加熱する加熱手段とを有し、前記蓋体は、圧力調整装置を有し、前記蓋体は、前記蓋体内で前後方向に延伸し、途中で分割されている補強部材を有し、前記補強部材は、前方側に位置する第１補強部材と、後方側に位置する第２補強部材とを有し、前記第１補強部材と前記第２補強部材とは一部において上下方向に重なり且つ係止する構成。
【００１７】
請求項２に係る発明では、炊飯器本体と、前記炊飯器本体の上方に位置する蓋体とを有する圧力式炊飯器であって、前記炊飯器本体は、内鍋と、前記内鍋を加熱する加熱手段とを有し、前記蓋体は、圧力調整装置を有し、前記蓋体は、前記蓋体内で前後方向に延伸し、途中で分割されている補強部材を有し、前記補強部材は、前方側に位置する第１補強部材と、後方側に位置する第２補強部材とを有し、前記第１補強部材の後端部はヒンジ軸直上近傍まで伸びて前記第２補強部材の係止リブに係止する構成。
【発明の効果】
【００１８】
請求項１、２に係る発明は、蓋体内に前後方向に延伸するとともに、途中で分割される補強部材を設けるものであり、このように構成すると補強部材の強度が従来のものに比べて弱まることになる（但し、法令で定められた強度は維持する。）。そのため、圧力調整装置或いは安全弁が故障した異常時に、分割箇所から蓋体を変形させることができ、且つ変形するまでの時間を短くすることができる。その結果、噴出する蒸気圧を低くおさえることができるとともに、ユーザーへの危害を低減することができる。
【００１９】
また、炊飯器本体の変形を低減することができるため、蓋体のみの交換が可能となり、ユーザーへの負担を軽減することができる。更に、補強部材を分割することにより、部品の材料とりに無駄を低減することができ、生産コストを低減することができる。
【００２０】
また、補強部材を２分割にしてその分割箇所を蓋体の中心より後方にすることにより、請求項１の発明の効果に加え、蒸気を炊飯器の側面後方側から噴出することができるため、ユーザーへの危害をより低減することができる。
【図面の簡単な説明】
【００２１】
【図１】圧力式炊飯器の蓋上部材を取り外した状態の全体断面図（図２のＡ−Ａ線断面図）
【図２】蓋上部材を取り外した状態の蓋体を斜め上方から見た斜視図
【図３】第１補強部材と第２補強部材を離した状態を示す斜視図
【図４】図３のＢ−Ｂ線方向に見た第１補強部材と第２補強部材を組み立てる状態を示す概略側面図
【図５】第１補強部材と第２補強部材との分離領域が変形（破線参照）し、蒸気が逃げる状態を示す概略図
【図６】従来の圧力炊飯器の補強部材を示す概略断面図
【実施例】
【００２２】
図１は蓋上部材のない図２のＡ−Ａ線縦断面図を示し、図２は蓋体内に補強部材を組み込んだ状態の斜視図を示し、図３は第１補強部材と第２補強部材の斜視図を示し、図４は第１補強部材と第２補強部材との一部箇所の組み立て状態を示す概略側面図を示す。なお、圧力式炊飯器２０のヒンジ軸７２側を後方側とし、ヒンジ軸７２の反対側のロックレバー３６側を前方側とし、前後方向に直交する側を左右方向側とする。
【００２３】
圧力式炊飯器２０の略全体を図１に示す。圧力式炊飯器２０は、炊飯器本体２１及び蓋体４０からなる。炊飯器本体２１は、鋼板ケースまたは合成樹脂製の一体成形品からなる外ケース２２を有し、この外ケース２２の内部には、金属鍋或いは土鍋等の内鍋２３が着脱自在にセットされるとともに、この内鍋２３の外側には当該内鍋２３の形状に沿った保護枠である内ケース２４が設けられる。この内ケース２４は、例えばポリエチレンテレフタレート等の耐熱性の合成樹脂製のもので、その底部中央にはサーミスタからなる温度センサ２５を臨ませるためのセンサ挿入孔が設けられる。
【００２４】
内ケース２４の上端は、外ケース２２の上端と肩部材２６を介して一体に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。
【００２５】
これら底部ワークコイル２７及び側部ワークコイル２８の外側には合成樹脂製のコイル支持台２９が設けられており、このコイル支持台２９がネジ等で内ケース２４に取り付けられることにより、底部ワークコイル２７及び側部ワークコイル２８は図示する所定位置に位置決め固定される。
【００２６】
前記外ケース２２の下端部には、底部材３１がビス等で取り付けられ、外ケース２２と底部材３１とで上方に開口を有する容器を形成する。外ケース２２の後方の内部には、肩部材２６から垂下する形態で、制御基板３２が設けられる。
【００２７】
この制御基板３２には、底部ワークコイル２７、側部ワークコイル２８等の加熱手段を制御するためのマイコン及び電源回路等の電気部品が搭載される。それら電気部品のなかには発熱するものがあるため、制御基板３２の近傍には発熱素子等を冷却するための冷却フィン３３と、冷却フィン３３の熱を放熱するための冷却ファン３４が設けられる。なお、制御基板３２の後方側にはコード巻取器３５が設けられる。
【００２８】
また、前記外ケース２２の前方側には、押圧部３６ａ及び係止部３６ｂを有するロックレバー３６が設けられ、押圧部３６ａを上方から押すことにより、係止部３６ｂが炊飯器本体２１との係合を解除して後記ヒンジばね７３のばね力により蓋体４０は開放する。
【００２９】
前記蓋体４０は、図示しない外周面を形成する樹脂製の蓋上部材と、蓋下部材４２を有する。蓋下部材４２は、蓋上部材と同様に樹脂製の部材であり、その後方部には、後記ヒンジ軸７２及びヒンジばね７３が配置される平面視コ字状の切欠４３が形成される。
【００３０】
また、蓋下部材４２の中央且つ後方よりには円形の蒸気排出筒４４が設けられており、この蒸気排出筒４４に内鍋２３内より流入する蒸気は、蓋上部材に設けられる蒸気通路を経て蓋上部材の上面に設けられる蒸気口より外部に放出される。
【００３１】
蓋下部材４２の中央部には、下方が開口し、上方に突き出た平面視矩形状の弁カバー４５が設けられるとともに、その弁カバー４５の前方側にはソレノイド４６が水平且つ前後方向に配置される。このソレノイド４６は、ソレノイド４６の作動、非作動により進退するプランジャ４６ａが設けられる。
【００３２】
このプランジャ４６ａの先端は、弁カバー４５の前方側に設けられる開孔４５ａに対向しており、ソレノイド４６の作動時、プランジャ４６ａはソレノイド４６内に引き込まれて後記球状弁５３の押圧を解除し、ソレノイド４６の非作動時、プランジャ４６ａはソレノイド４６内より外方に押し出され、球状弁５３を後記通気孔５２を開放する方向に押す。
【００３３】
前記蓋体４０の下方には、内鍋２３に対向して内蓋４８が着脱自在に取付けられる。そして、この内蓋４８を蓋下部材４２の下面に取り付けると、内蓋４８の上面と蓋下部材４２の下面との間に蒸気室４９が形成される。
【００３４】
内蓋４８の上面には、弁収納室５０が設けられる。この弁収納室５０は、断面逆Ｕ字状で、その内部には、中央に通気孔５２を有するすり鉢状の弁載置部５１が設けられるとともに、その上方には球状弁５３が配設される。
【００３５】
前記通気孔５２は、内鍋２３内に連通しており、球状弁５３が通気孔５２を開放すると内鍋２３内の蒸気は、蒸気室４９に流入し、その後、蒸気排出筒４４及び蓋上部材に設けられる蒸気通路を経て蓋上部材の上面に設けられる蒸気口より外部に放出される。
【００３６】
そして、内蓋４８が蓋下部材４２の下面に装着されると、弁収納室５０は蓋下部材４２の下面から上方に突き出す形態で形成される弁カバー４５内に進入するとともに、球状弁５３はプランジャ４６ａに対向して位置する。
【００３７】
圧力調整装置は、前記ソレノイドの４６、プランジャ４６ａ及び球状弁５３で構成されており、加圧炊飯が選択されないソレノイド４６の非作動時には、プランジャ４６ａは外方に押し出され、球状弁５３を押して通気孔５２を開放する。
【００３８】
そして、加圧炊飯が選択されるソレノイド４６の作動時には、プランジャ４６ａは引き込まれて球状弁５３から離れるため、球状弁５３は自重で通気孔５２の直上に移動して通気孔５２を閉鎖する。そのため、球状弁５３の自重に相当する圧力での炊飯が行われ、内鍋２３内がそれ以上の圧力になると余分な蒸気は球状弁５３を押し上げて通気孔５２より排出される。
【００３９】
なお、必要に応じて内蓋４８には安全弁が設けられる。安全弁は球状弁５３の開放圧より高い圧力で開放するようにされるもので、球状弁５３が開かない等の異常時に作用する。
【００４０】
蓋体４０の前方側には、図示しない液晶パネル及び各種スイッチボタンが設けられており、通常炊飯を選択すると、ソレノイド４６が非作動（通気孔５２が開）での炊飯が行われ、加圧炊飯を選択すると、ソレノイド４６が作動（通気孔５２が閉）での炊飯が行われる。その炊飯は、底部ワークコイル２７及び側部ワークコイル２８により誘起される渦電流に起因したジュール熱により内鍋２３が加熱されて行われる。
【００４１】
図２に示すように蓋下部材４２上には、蓋体４０の強度を高めるための金属製の補強部材６０が設けられる。この補強部材６０は、第１補強部材６１及び第２補強部材６２からなり、前後方向に延伸する形態で設けられる。
【００４２】
前記第１補強部材６１は、下方が開口した断面コ字状の２箇所の水平延伸部６３、６３と、１箇所の水平板状部６４からなる金属製の部材であり、それらは一体形成される。
【００４３】
２箇所の水平延伸部６３、６３は、同じ形状の部分であり、左右方向に間隔を有して平行に配置される。そして、その前方側（図３の斜め上方側）及び後方側（図３の斜め下方側）の外側壁面の一部は切り取られており、その前方側の内側壁面の下端部には、左右方向に水平に突き出たリブ６５が設けられ、このリブ６５には第１補強部材６１を蓋下部材４２にビス止めするためのビス孔６５ａが設けられる。
【００４４】
また、水平延伸部６３、６３の前方側の内側壁面には、ロックレバー３６を回動自在にするレバー軸３７が挿着される軸受孔６６が設けられるとともに、前後方向の上壁面には、蓋下部材４２にビス止めするための３個のビス孔６７が設けられる。
【００４５】
更に、水平延伸部６３、６３の後方側端部の上壁面には、垂直係止部６８が立設されており、この垂直係止部６８の前方側には、第２補強部材６２の係止リブ７７の後端部が係止される。
【００４６】
水平板状部６４は、２箇所の水平延伸部６３、６３の間に取り付けられる水平の部分で、２箇所の水平延伸部６３、６３の内側壁面の下端部同士を前方から後方の途中に亘って連結している。
【００４７】
また、水平板状部６４は、後方端から前方側に向かってトンネル形状に切りかかれており、全体として平面視Ｕ字状を呈している。そして、このトンネル形状に切りかかれた部分には、圧力調整装置のソレノイド４６及び蒸気排出筒４４が配置される。
【００４８】
水平板状部６４の中央部には、２箇所のビスネジ孔６９、６９が対向して設けられ、その後方側には、ヒンジばね７３の一端を係止するためのばね係止部７０が逆Ｕ字状の形態で設けられるとともに、第２補強部材６２の前方端を係止するための水平係止部７１が後方側に突き出る形態で設けられる。
【００４９】
なお、上記したように第１補強部材６１は、ロックレバー３６の取付部材を兼用しており、このような形態にすることにより部品点数を削減できる。
【００５０】
前記第２補強部材６２は、２箇所のＬ字状部７５、７５と、１箇所の連結部７６からなる金属製の部材であり、それらは一体形成される。
【００５１】
２箇所のＬ字状部７５、７５は、同じ形状の平板状の部分であり、左右方向に間隔を有して平行に配置される。そして、その後方側の外側壁面上端部には、それぞれ左右方向に水平に突き出る平面視矩形状の係止リブ７７、７７が設けられ、この係止リブ７７には第１補強部材６１の垂直係止部６８が係止される。また、２箇所のＬ字状部７５、７５の下方側には、ヒンジ軸７２が装着されるヒンジ軸受孔７８が設けられ、図３に示すような形態でヒンジ軸７２が取付けられる。ヒンジ軸７２の中心は、係止リブ７７及び係止リブ７７に係止される水平延伸部６３の後端より前方側に設けられ、水平延伸部６３の係止部に上方の力が加えられた時にもＬ字状部７５に回転力が発生しない。
【００５２】
連結部７６は、２箇所のＬ字状部７５、７５の間に取り付けられる水平の部分であり、２箇所のＬ字状部７５、７５の内壁面の下端部同士を前方から後方の途中に亘って連結している。
【００５３】
また、連結部７６には、２箇所の切り起こし片７９が形成され、この２箇所の切り起こし片７９には、第２補強部材６２を蓋下部材にビス止めするためのビス孔７９ａが設けられる。連結部７６の後方側には、２箇所のビス孔７６ａ、７６ａが設けられており、この２つのビス孔７６ａ、７６ａには、ヒンジ軸７２を固定するための取付金具８０の一端がビス止めされる。
【００５４】
そして、第２補強部材６２の２箇所のＬ字状部７５、７５の外壁面間の距離は、第１補強部材６１の２箇所の水平延伸部６３、６３の内壁面間の距離より若干短くされている。  なお、上記したように第２補強部材６２は、ヒンジ軸７２の取付部材を兼用しており、このような形態にすることにより部品点数を削減できる。
【００５５】
補強部材６０の取付について説明する。まずは、第１補強部材６１を蓋下部材４２に取り付ける。その取り付けは、まず水平延伸部６３の前方側の軸受孔６６に、ロックレバー３６を取り付けた状態のレバー軸３７を挿着しておき、次いで水平延伸部６３の前方側に設けられるビス孔６５ａ、水平延伸部６３の上壁面に設けられる３個のビス孔６７、及び水平板状部６４に設けられる２箇所のビスネジ孔６９にビスを挿着して第１補強部材６１を蓋下部材に取り付ける。
【００５６】
次いで、第２補強部材６２を第１補強部材６１に係止するとともに蓋下部材に取り付ける。その取り付けは、第１補強部材６１の２箇所の水平延伸部６３、６３のそれぞれの内壁面に、第２補強部材６２の２箇所のＬ字状部７５、７５のそれぞれの外壁面を沿わせながら斜め上方から斜め下方に押し込み、回動する形態で行われる。
【００５７】
まず、図４（図３のＢ−Ｂ線に沿った概略断面図）に示すように、第２補強部材６２を第１補強部材６１の後方側に置く（図４Ａ参照）。
【００５８】
次いで、第２補強部材６２の後方側を持ち上げた傾斜状態で、第１補強部材６１の２箇所の水平延伸部６３、６３のそれぞれの内壁面を、第２補強部材６２の２箇所のＬ字状部７５、７５のそれぞれの外壁面に沿わせながら矢印（１）で示すように斜め下方に押し込む。すると、第２補強部材６２の連結部７６の前方端が、第１補強部材６１の水平板状部６４後方端の水平係止部７１に当接する（図４Ｂ参照）。
【００５９】
次いで、第２補強部材６２を矢印（３）で示すように前方側へ押しながら矢印（２）で示すようにその後端部を下方へ回動する（図４Ｃ参照）。
【００６０】
すると、第２補強部材６２の連結部７６の前方端は、第１補強部材６１の水平板状部６４後方端の水平係止部７１内に入り込み係止されるとともに、第２補強部材６２の係止リブ７７は、第１補強部材６１の水平延伸部６３後方端の垂直係止部６８の前方側に入り込み係止される（図４Ｄ参照）。
【００６１】
その結果、第２補強部材６２は、蓋下部材４２上に載置されることになるため、２箇所の切り起こし片７９に形成されるビス孔７９ａにビスを挿着して第２補強部材６２を蓋下部材４２に固定することになる。
【００６２】
このように途中で分割される形態或いは後方で２分割される形態で取り付けることにより、法令を満たす強度で補強部材６０を設けることができる。この場合、第１補強部材６１と第２補強部材６２とは別々の部材であり、一体のものと比べればその強度は低くなる。
【００６３】
そのため、仮に圧力調整装置或いは安全弁が故障した異常時には、図５に示すように第１補強部材６１と第２補強部材６２との間の補強部材の分割線近傍で蓋体４０が変形するようになり、矢印で示すように変形した箇所から内部の蒸気が噴出することになる。補強部材６０の分割線を蓋体４０の側面後方側にすることにより、蓋体４０の側面後方側から蒸気を逃がすことができる。
【００６４】
本発明は、前記実施例の構成に限定されるものではなく、発明の要旨を逸脱しない範囲において適宜設計変更可能であり、例えば、補強部材は２分割で説明したが複数分割でもよい。
【符号の説明】
【００６５】
２０…圧力式炊飯器              ２１…炊飯器本体
２２…外ケース                  ２３…内鍋
２４…内ケース                  ２５…温度センサ
２６…肩部材                    ２７…底部ワークコイル
２８…側部ワークコイル          ２９…コイル支持台
３１…底部材                    ３２…制御基板
３３…冷却フィン                ３４…冷却ファン
３５…コード巻取器              ３６…ロックレバー
３６ａ…押圧部                  ３６ｂ…係止部  
３７…レバー軸                  ４０…蓋体
４２…蓋下部材                  ４３…切欠
４４…蒸気排出筒                ４５…弁カバー
４５ａ…開孔                    ４６…ソレノイド
４６ａ…プランジャ              ４８…内蓋
４９…蒸気室                    ５０…弁収納室
５１…弁載置部                  ５２…通気孔
５３…球状弁                    ６０…補強部材
６１…第１補強部材              ６２…第２補強部材
６３…水平延伸部                ６４…水平板状部
６５…リブ                      ６５ａ…ビス孔
６６…軸受孔                    ６７…ビス孔
６８…垂直係止部                ６９…ビスネジ孔
７０…ばね係止部                ７１…水平係止部
７２…ヒンジ軸                  ７３…ヒンジばね
７５…Ｌ字状部                  ７６…連結部
７６ａ…ビス孔                  ７７…係止リブ
７８…ヒンジ軸受孔              ７９…切り起こし片
７９ａ…ビス孔                  ８０…取付金具
【図１】
0005752490.tif 000002
【図２】
0005752490.tif 000003
【図３】
0005752490.tif 000004
【図４】
0005752490.tif 000005
【図５】
0005752490.tif 000006
【図６】
0005752490.tif 000007